(57)【要約】【課題】遮断器本体の移動や保持を安定して行うことができる品質のよい構造の簡単な引出型回路遮断器を提供する。【解決手段】引出枠３の側板６に固定された略Ｃ字状のレール７、レール７によって保持されレール７に沿ってスライドするスライド板８、遮断器本体４が引出枠内にある時スライド板８の引き出しを阻止する回転自在のフック１４を設け、レール７にはフック１４と係合するフック受け７ａを形成し、スライド板８には水平溝９ａと上部が開口されている垂直溝９ｂとからなるＬ字状の溝９とスライド溝１０を形成し、Ｌ字状の溝９には遮断器本体４の側面に設けられたローラ５を嵌め込み、スライド溝１０には側板６に設けられたストッパ１１を嵌め込む。【選択図】  図１
2004227899.tif 000002
【特許請求の範囲】
【請求項１】
引出枠、前記引出枠内の接続位置と断路位置との間で移動可能な遮断器本体、前記遮断器本体の両側面に備えられたローラ、前記引出枠の両側板に固定されたレール、前記レールに引出可能に保持されるとともに前記ローラと係合して前記遮断器本体を保持するスライド板、前記スライド板が前記引出枠外に移動することを阻止するロック手段、及び前記スライド板が引き出されたとき該スライド板が前記レールから脱落することを防止するストッパ手段を備えた引出型回路遮断器において、
前記スライド板には前記ローラがはめ込まれる下縁と上縁を有する水平溝と該スライド板の上面に開口部を有する垂直溝からなるＬ字状の溝が形成されていることを特徴とする引出型回路遮断器。
【発明の詳細な説明】
【０００１】
【発明の属する技術分野】
本発明は、引出枠、引出枠内で接続位置と断路位置との間で移動可能な遮断器本体、遮断器本体を移動させる引出機構及び遮断器本体の移動を案内する引出枠に設けられるレールを有する引出型回路遮断器に関する。
【０００２】
【従来の技術】
引出型回路遮断器は、共に主回路端子を有する遮断器本体及び引出枠並びに引出操作機構とからなり、引出操作機構を操作することによって、遮断器本体を双方の端子が接触した接続位置と開離した断路位置との間で往復移動が可能なように構成されている。さらに、点検などのために遮断器本体を引出枠外の引出位置に移動させるための延長レールが設けられることもある。
【０００３】
図５は、実開昭５８−５１６０９号公報で紹介されている延長レールが設けられた従来の引出型回路遮断器であって、遮断器本体２１は引出枠２２に設けられた延長レール２３上に引き出された状態を示している。遮断器本体２１はその側面にローラ２４を備え、引出枠２２の側板には溝２５が形成され、この溝２５にローラ２４がはまり込むようになっているため、移動中脱落することがなく、遮断器本体２１の開閉操作を行って機械的ショックが生じても、遮断器本体２１が上下方向に躍ることもなく、良好な品質を維持する上で好ましい構成となっている。溝２５の下側の縁は延長レール２３と実質的に連続的なレールを形成するように構成されているため、自在に遮断器本体２１を引出枠２２外に引き出したり引出枠内に挿入することができる。なお、延長レール２３の先端には遮断器本体２１が前方へ脱落しないように突起２３ａが形成されており、また遮断器本体２１が引出枠２２内に挿入されているとき延長レール２３を引出枠２２内にスライドさせて収納することができるようになっている。なお、２６及び２７は引出枠２２及び遮断器本体２１に備えられた主回路端子である。
この引出型回路遮断器の遮断器本体２１を引出枠２２内において接続位置と図５に示されている引出位置に移動させる動作は、図示されていない引出操作機構を操作して遮断器本体２１を図示されていない断路位置まで移動させ、延長レール２３を引出枠２２内から引き出して手で遮断器本体２１を延長レール２３上に移動させればよい
【特許文献】実開昭５８−５１６０９号公報
【０００４】
【発明が解決しようとする課題】
上述の従来の引出型回路遮断器は延長レール２３を特別に設ける必要があるとともに、溝２５の構造を補強するための部材２８が必要であるなどの問題があった。
したがって、本発明はこのような問題を解決するためになされたものであって、遮断器本体の移動や保持を安定して行うことができる構造の簡単な引出型回路遮断器を提供することを目的とする。
【０００５】
【課題を解決するための手段】
上記の問題を解決するために、本発明は、引出枠、引出枠内の接続位置と断路位置との間で移動可能な遮断器本体、遮断器本体の両側面に備えられたローラ、引出枠の両側板に固定されたレール、レールに引出可能に保持されるとともにローラと係合して遮断器本体を保持するスライド板、スライド板が前記引出枠外に移動することを阻止するロック手段、及びスライド板が引き出されたとき該スライド板がレールから脱落することを防止するストッパ手段を備えた引出型回路遮断器において、スライド板にはローラがはめ込まれる下縁と上縁を有する水平溝と該スライド板の上面に開口部を有する垂直溝からなるＬ字状の溝が形成されていることとしている。
【０００６】
このような構成により、遮断器本体はローラを介して引出枠内にある場合も引出枠から引き出される場合も共通のスライド板において保持される。また、遮断器本体が引出枠内にあるとき、スライド板はロック手段により引出枠内で停止状態にあり、遮断器本体はローラがはめ込まれるスライド板の水平溝の下縁において保持及び移動される。このため、引出枠内で開閉ショックなどがあってもローラが水平溝の上縁と係合して遮断器本体の上方への躍りが防止される。
さらに、遮断器本体がスライド板と共に引出枠外に引き出されスライド板の先端方向へ移動してもローラが水平溝の端部と係合するため遮断器本体がスライド板から脱落することもなく、また、ローラが水平溝と垂直溝の交点にあるとき遮断器本体を上方へ持ち上げるとローラが垂直溝の開口部を通過するため遮断器本体を上方に取り出せる。
【０００７】
【発明の実施の形態】
本発明の実施の形態を、図１ないし図４に示されている実施例において説明する。
図１及び図２を参照して、この実施例の引出型回路遮断器は、それぞれ主回路端子１及び２を備えた引出枠３と遮断器本体４とからなり、遮断器本体４の両側面にはそれぞれ一対のローラ５が取り付けられている。
引出枠３の左側板６の内側には正面方向から見たときの断面が略Ｃ字状のレール７が固定的に設けられ、その先端部には鉤型のフック受け７ａが形成されている。レール７にはスライド板８が図１において左右方向にスライド自在なるように嵌め込まれている。スライド板８には上部に２個のＬ字状の溝９、下部に水平方向に長いスライド溝１０が形成されている。それぞれのＬ字状の溝９の溝幅はローラ５の直径より大きく、少なくとも水平溝９ａの上縁と下縁との溝幅はローラ５の直径よりわずかに大きいように形成され、Ｌ字状の溝９の垂直溝９ｂはスライド板８の上縁に開口部を有している。また、スライド溝１０には左側板６に取り付けられたスタッド状のストッパ１１が嵌め込まれている。さらに、スライド板８の先端部には、軸１２によって回転自在に保持され、ねじりばね１３によって時計方向に付勢されたフック１４が設けられている。フック１４はその端部に係合部１４ａを有するとともに、フックストッパ１５によって時計方向の回転が制限されている。以上の構成は引出枠３の右側板１６に関しても左側板の構成とは左右対称に設けられている。
【０００８】
以上のように構成されている本実施例の引出型回路遮断器の引出動作について説明する。遮断器本体４が接続位置にある状態を示している図１において、主回路端子１と主回路端子２が接触し、ローラ５はスライド板８に形成されている水平溝９ａの右端部に位置している。このため、この位置で遮断器本体４の開閉操作を行っても開閉ショックにより遮断器本体４が上下方向に躍ることはない。また、フック１４の係合部１４ａがレール７のフック受け７ａと係合しているうえ、スライド溝１０の左端にストッパ１１が接しているためスライド板８がスライドしない状態となっている。この状態で、図示されていない引出操作機構を操作すると、ローラ５が水平溝９ａの下縁に沿って回転移動し遮断器本体４が左方向に移動し主回路端子２が主回路端子１から離脱した試験位置に達する。試験位置の状態は図示されていないが、図示されていない制御回路が接続されている位置であって遮断器本体４を電気的に開閉操作を行える位置である。この試験位置において、ローラ５は水平溝９ａの部分に位置するため、この位置で開閉操作が行われても遮断器本体４が躍ることはない。さらに、引出操作機構を操作すると遮断器本体４は制御回路も断路した断路位置に達する。図３を参照して、この位置ではローラ５が水平溝９ａと垂直溝９ｂとが交差する部分に位置する。
【０００９】
この断路位置において直角に曲げられた取っ手部１４ｂを操作してフック１４を反時計方向に回転させるとフック１４の係合部１４ａとレール７のフック受け７ａとの係合を解消させることができる。この状態で取っ手部１４ｂをさらに反時計方向へ回転させると、取っ手部１４ｂがスライド板８の取っ手部８ａと接してその回転が阻止され、さらに左方へ力を加えるとスライド板８が遮断器本体４と共に引出枠３から引き出される。そして、スライド溝１０の右端がストッパ１１に接したときスライド板８の移動が停止し遮断器本体４は引出枠３から完全に引き出された引出位置に位置する。この位置において、スライド板８は遮断器本体４と共にストッパ１１を支点としてその自重によって反時計方向に付勢されるがレール７とスライド板８との接点Ａにおいてその回転が阻止される。また、図４を参照して、この引出位置では、ローラ５が水平溝９ａの左端と係合するため遮断器本体４が左方向へ移動して脱落する心配がなく、遮断器本体４を上方に持ち上げるとローラ５は垂直溝９ｂを通過するため容易に遮断器本体４をスライド板８から取り外すことができる。遮断器本体４を引出枠に挿入する操作は、上述の逆の操作をすればよい。なお、遮断器本体が軽量であるときはローラ５の代わりにスタッド状の軸を使用してもよい。
【００１０】
【発明の効果】
本発明は、以上説明した形態で実施され、遮断器本体は引出枠内にある場合も引出枠から引き出されている場合も共通のスライド板によって保持されるため特別な延長レールを必要としないため簡単な構造で、スライド板の水平溝によって遮断器本体を安定して移動させるとともに開閉ショックなどによる遮断器本体の上方への躍りを防止できるため良好な品質を維持でき、さらに、遮断器本体が引出枠外に引き出されたときはスライド板の水平溝によって遮断器本体がスライド板から脱落しないように保持されるため安全で、垂直溝がスライド板上面に開口部を有しているため遮断器本体を簡単に取り出せるという取り扱いの簡単な引出型回路遮断器を提供できるという効果を奏する。
【図面の簡単な説明】
【図１】本発明による引出型回路遮断器の実施例を示す図であって、遮断器本体が接続位置にある時の引出枠の左側板を示す側面図である。
【図２】図１の引出型回路遮断器の正面図である。
【図３】遮断器本体が断路位置にある時の図１に相当する図である。
【図４】遮断器本体が引出位置にある時の図１に相当する図である。
【図５】従来の引出型回路遮断器を示す側面図である。
【符号の説明】
１、２  主回路端子
３  引出枠
４  遮断器本体
５  ローラ
６  左側板
７  レール
７ａ  フック受け
８  スライド板
８ａ  取っ手部
９  Ｌ字状の溝
９ａ  水平溝
９ｂ  垂直溝
１０  スライド溝
１１  ストッパ
１２  軸
１３  ばね
１４  フック
１４ａ  係合部
１４ｂ  取っ手部
１５  フックストッパ
１６  右側板
【図１】
2004227899.tif 000003
【図２】
2004227899.tif 000004
【図３】
2004227899.tif 000005
【図４】
2004227899.tif 000006
【図５】
2004227899.tif 000007